(57)【特許請求の範囲】
【請求項１】
互いに対向して起立する一対の第１側壁板と両第１側壁板の対向方向に直交して互いに対向して起立する一対の第２側壁板とによって形成された角筒状の胴部を備え、各第１側壁板の上縁に第１折目線を介して連設された第１天蓋フラップがそれぞれ内側に水平に折り曲げられると共に、各第２側壁板の上縁に第２折目線を介して連設された第２天蓋フラップがそれぞれ内側に水平に折り曲げられて、胴部の上端が閉蓋される包装箱において、
前記第１天蓋フラップは、前記第１側壁板の上縁の全長に亘って該第１側壁板に連設された第１係止基部と、該第１係止基部の上縁に凸形状に連設された第１係止舌部とを備え、
前記第２天蓋フラップは、前記第１係止基部の上部に重合する重合部を両端に備える第２係止基部と、該第２係止基部の上縁に凸形状に連設され前記第１係止舌部の下部に重合する第２係止舌部とを備え、
前記胴部の上端は、両第１天蓋フラップを夫々第１側壁板の上縁の第１折目線に沿って互いに内方に折り曲げた後、両第２天蓋フラップを夫々第２側壁板の上縁の第２折目線に沿って折り曲げて各第１天蓋フラップの上部に重合させ、次いで、両第１天蓋フラップの前記第１係止舌部を上方に引き上げて開放された両第１係止舌部の両端縁側からその下部に両第２係止舌部を挿入することにより閉蓋封止され、
前記第１天蓋フラップは、前記第１折目線から前記第１係止舌部の基端部と第１係止基部の上縁との境界に位置する角部に亘って、前記第１折目線に対して所定角度を存して前記第２側壁板の方向に延びる第３折目線を備え、
該第３折目線は、前記第１天蓋フラップの第１係止舌部を上方に引き上げたとき該第１係止舌部を外方に折り曲げ案内可能に設けられていることを特徴とする包装箱。
【請求項２】
前記第１天蓋フラップは、前記第１折目線と前記第３折目線との交点から前記第１係止舌部の上縁に亘って延びる第４折目線を備え、該第４折目線は、前記第１天蓋フラップの第１係止舌部を上方に引き上げたとき、前記第３折目線と反対方向に折り曲げ可能に設けられていることを特徴とする請求項１記載の包装箱。
【請求項３】
前記第１天蓋フラップの第１係止舌部の上縁の一部を切り欠いて形成され、該第１係止舌部を上方に引き上げる際に把持自在とする把持部を設けたことを特徴とする請求項１又は２記載の包装箱。
【発明の詳細な説明】
【０００１】
【発明の属する技術分野】
本発明は、角筒状の胴部の上端が４枚の天蓋フラップにより閉蓋される包装箱に関する。
【０００２】
【従来の技術】
従来、起立する４枚の側壁板により形成された角筒状の胴部と、各側壁板の上縁に折目線を介して連設された４枚の天蓋フラップとを備える段ボール製の包装箱が知られている。
【０００３】
この種の包装箱は、胴部内に被包装物を収容した後、各天蓋フラップを水平に折り曲げることによって胴部が閉蓋される。そして輸送等においては閉蓋状態を維持して不用意に開封されないように、閉蓋状態の各天蓋フラップを粘着テープやステープルによって固定し封止することが行われている。
【０００４】
しかし、粘着テープやステープルを使用すると、封止のための作業が煩雑となるだけでなく不経済であり、一度開封した後に再度封止する場合にも粘着テープやステープルが必要となる不都合があった。
【０００５】
そのため、粘着テープやステープル等を用いることなく容易に閉蓋封止することができ、更に、開封後に再び封止して被包装物を保管することが可能となる包装箱が望まれていた。
【０００６】
【発明が解決しようとする課題】
かかる不都合を解消して、本発明は、天蓋フラップによる閉蓋及び封止作業が容易に行え、しかも、開封と封止とを繰り返し行うことができる包装箱を提供することを目的とする。
【０００７】
【課題を解決するための手段】
本発明は、互いに対向して起立する一対の第１側壁板と両第１側壁板の対向方向に直交して互いに対向して起立する一対の第２側壁板とによって形成された角筒状の胴部を備え、各第１側壁板の上縁に第１折目線を介して連設された第１天蓋フラップがそれぞれ内側に水平に折り曲げられると共に、各第２側壁板の上縁に第２折目線を介して連設された第２天蓋フラップがそれぞれ内側に水平に折り曲げられて、胴部の上端が閉蓋される包装箱において前記目的を達成しようとするものである。
【０００８】
即ち、本発明の構成として、前記第１天蓋フラップは、前記第１側壁板の上縁の全長に亘って該第１側壁板に連設された第１係止基部と、該第１係止基部の上縁に凸形状に連設された第１係止舌部とを備え、前記第２天蓋フラップは、前記第１係止基部の上部に重合する重合部を両端に備える第２係止基部と、該第２係止基部の上縁に凸形状に連設され前記第１係止舌部の下部に重合する第２係止舌部とを備える。
【０００９】
そして、本発明の構成によって、前記胴部の上端は、両第１天蓋フラップを夫々第１側壁板の上縁の第１折目線に沿って互いに内方に折り曲げた後、両第２天蓋フラップを夫々第２側壁板の上縁の第２折目線に沿って折り曲げて各第１天蓋フラップの上部に重合させ、次いで、両第１天蓋フラップの前記第１係止舌部を上方に引き上げて開放された両第１係止舌部の両端縁側からその下部に両第２係止舌部を挿入することにより閉蓋封止される。
【００１０】
このように、本発明によれば、両第１天蓋フラップを折り曲げた後、両第２天蓋フラップを折り曲げて両第１天蓋フラップ上に重合させて閉蓋し、更に両第１天蓋フラップの前記第１係止舌部を上方に引き上げることにより、両第１係止舌部と両第２係止舌部との重合方向が逆転させる。これによって、両第１天蓋フラップと両第２天蓋フラップとが互いに係止し合って閉蓋状態が維持される。
【００１１】
このように、本発明によれば、両第１天蓋フラップの前記第１係止舌部を上方に引き上げるだけで、胴部を容易に封止することができ、従来のように、粘着テープやステープルを用いることなく封止することができると共に、開封と封止とを繰り返し行うことができる。
【００１２】
更に、本発明の前記第１天蓋フラップは、前記第１折目線から前記第１係止舌部の基端部と第１係止基部の上縁との境界に位置する角部に亘って、前記第１折目線に対して所定角度を存して前記第２側壁板の方向に延びる第３折目線を備え、該第３折目線は、前記第１天蓋フラップの第１係止舌部を上方に引き上げたとき該第１係止舌部を外方に折り曲げ案内可能に設けられている。これにより、封止作業時に、前記第１天蓋フラップの前記第１係止舌部を引き上げた際、該第１天蓋フラップの第３折目線に沿った折り曲げが円滑に行われるので、第１係止舌部の引き上げ操作を容易として該第１係止舌部の十分な引き上げを行うことができる。
【００１３】
更に、前記第１天蓋フラップは、前記第１折目線と前記第３折目線との交点から前記第１係止舌部の上縁に亘って延びる第４折目線を備え、該第４折目線は、前記第１天蓋フラップの第１係止舌部を上方に引き上げたとき、前記第３折目線と反対方向に折り曲げ可能に設けられていることが好ましい。これにより、該第１天蓋フラップの第４折目線に沿った折り曲げが円滑に行われるので、該第１係止舌部の引き上げ操作が一層容易となり、封止作業における作業性を向上させることができる。
【００１４】
また、前記第１天蓋フラップの第１係止舌部の上縁の一部を切り欠いて形成され、該第１係止舌部を上方に引き上げる際に把持自在とする把持部を設けることが好ましい。これにより、引き上げ操作時に第１係止舌部の上縁を容易に把持することができ、第１係止舌部を確実に引き上げて封止作業を円滑に行うことができる。
【００１５】
【発明の実施の形態】
本発明の一実施形態を図面に基づいて説明する。図１は本実施形態の包装箱を示す説明的斜視図、図２は図１の包装箱の展開図、図３は閉蓋作業及び封止作業を示す説明図、図４及び図５は他の実施形態による包装箱を示す説明図である。
【００１６】
本実施形態の包装箱１は、図１に示すように、角筒状の胴部２と、該胴部２の上端を閉塞する天部３と、該胴部２の下端を閉塞する底部４とによって直方体状に形成されている。
【００１７】
該包装箱１は、図２において展開して示すように、一対の第１側壁板５と、一対の第２側壁板６とが夫々胴部折目線ａを介して連設されている。各第１側壁板５及び各第２側壁板６は、夫々胴部折目線ａに沿って折り曲げられ、次いで、一方の第１側壁板５の端縁に連設された接着片７が反対側の第２側壁板６の端部に接着されて前記胴部２を形成する。また、各第１側壁板５及び各第２側壁板６には、その下端縁に底部折目線ｂを介して夫々底蓋フラップ８が連設され、各底蓋フラップ８は底部折目線ｂに沿って水平に折り曲げられて前記底部４を形成する。
【００１８】
次に、本発明に係る本実施形態の前記天部３の構成を詳しく説明する。図２に示すように、各第１側壁板５の上端縁には、第１天部折目線ｃを介して第１天蓋フラップ９が連設されており、各第２側壁板６の上端縁には、第２天部折目線ｄを介して第２天蓋フラップ１０が連設されている。
【００１９】
各第１天蓋フラップ９は、第１側壁板５への連設側に位置する第１係止基部１１と、該第１係止基部１１の上縁から凸形状に張り出す第１係止舌部１２とを備えている。該第１係止舌部１２は両側の端縁が互いに収束する方向に傾斜して形成されており、その上縁には一部を切り欠いて把持部１３が形成されている。
【００２０】
また、各第１天蓋フラップ９には、前記第１天部折目線ｃから第１係止舌部１２の基端部と第１係止基部１１の上縁との境界に位置する角部ｘに亘る第３天部折目線ｅが設けられている。該第３天部折目線ｅは、第１係止基部１１の両側に向かう方向に所定角度（本実施形態においては４５°）を存して傾斜して設けられている。
【００２１】
更に、各第１天蓋フラップ９には、前記第１天部折目線ｃと前記第３天部折目線ｅとの交点ｙから第１係止舌部１２の上縁に亘って第１天部折目線ｃに対して直角に延びる第４天部折目線ｆが設けられている。
【００２２】
各第２天蓋フラップ１０は、第２側壁板６への連設側に位置する第２係止基部１４と、該第２係止基部１４の上縁から凸形状に張り出す第２係止舌部１５とを備えている。該第２係止基部１４はその両側が、後述するように前記各第１天蓋フラップ９の第１係止基部１１上に重合される重合部１６とされている。
【００２３】
次に、以上の構成からなる包装箱１の閉蓋及び封止作業について説明する。先ず、図３（ａ）に示すように、両第１天蓋フラップ９を夫々第１天部折目線ｃに沿って水平に折り曲げる。次いで、図３（ｂ）に示すように、両第２天蓋フラップ１０を夫々第２天部折目線ｄに沿って水平に折り曲げ、各第１天蓋フラップ９上に重合させる。そして両第２天蓋フラップ１０を水平状態に維持させ、図３（ｃ）に示すように、一方の第１係止舌部１２を引き上げる。この場合、図示しないが、作業者は一方の手腕を用いて両第２天蓋フラップ１０を水平に押さえておき、前記把持部１３を他方の手指で把持して第１係止舌部１２を引き上げるようにすればよい。
【００２４】
このとき、該第１係止舌部１２は前記第３天部折目線ｅの谷折り方向への折り曲げ案内により該第１係止舌部１２の両端部を十分に開放させることができ、且つ、前記第４天部折目線ｆの山折り方向への折り曲げ案内により第１係止舌部１２の引き上げが容易に行える。更に、前記第４天部折目線ｆと前記第３天部折目線ｅとの間に位置する第１係止舌部１２の両端部は、前記第４天部折目線ｆによって傾斜面が形成される。そして、第１係止舌部１２の引き上げによって、両第２天蓋フラップ１０の各第２係止舌部１５の一側端部が第１係止舌部１２の両端部の傾斜面に沿って滑り、第１係止舌部１２と第２係止舌部１５との重合方向が逆転する。次いで、同様の作業により、他方の第１天蓋フラップ９の第１係止舌部１２を引き上げて該第１係止舌部１２と両第２係止舌部１５との重合方向を逆転させる。
【００２５】
これによって、図１に示すように、各第２係止基部１４の重合部１６が各第１係止基部１１の両端部の上方に重合して両第１天蓋フラップ９が係止され、各第１係止舌部１２が各第２係止舌部１５の上方に重合して両第２天蓋フラップ１０が係止されて天部３が封止される。
【００２６】
このように、本実施形態の包装箱１によれば、両第１天蓋フラップ９と両第２天蓋フラップ１０とが互いに係止し合って天部３が封止されるので、粘着テープやステープル等を使用することなく閉蓋状態を維持することができ、一旦開封した後に再び封止することが可能となる。また、各第１係止舌部１２を引き上げるだけの簡単な作業で天部３を封止して閉蓋状態を確実に維持することができ、しかも、被包装物（図示せず）が収納された状態で封止作業を容易に行うことができる。
【００２７】
なお、本実施形態においては、前記第３天部折目線ｅや前記第４天部折目線ｆを設けて第１係止舌部１２を引き上げたときの折れ曲がりを案内し、それによって封止時の作業性を向上させたが、例えば、比較的折り曲げやすい材料が採用されている場合等には、前記第３天部折目線ｅと前記第４天部折目線ｆとの何れか一方或いは両方を設けなくてもよい。
【００２８】
また、第１天蓋フラップ９や第２天蓋フラップ１０の形状は本実施形態において示したものに限らない。例えば、図４（ａ）に展開状態で一部を示すように、各第１天蓋フラップ９の第１係止基部１１の両端を斜めに切り欠いて両端縁を傾斜させ、これに対応して各第２天蓋フラップ１０の第２係止基部１４の両重合部１６を矩形状に張り出させて設けてもよい。これによっても、図４（ｂ）に組立状態で一部を示すように、第１係止基部１１と第２係止基部１４とが互いに係止され、前述したものと同様の効果を得ることができる。
【００２９】
また、それ以外に例えば、図５（ａ）に展開状態で一部を示すように、各第２天蓋フラップ１０の第２係止舌部１５の両側を斜めに切り欠き、これに対応して各第１天蓋フラップ９の第１係止舌部１２の両側端部を矩形状に張り出させて設けてもよい。これによっても、図５（ｂ）に組立状態で一部を示すように、第１係止舌部１２と第２係止舌部１５とが互いに係止され、前述したものと同様の効果を得ることができる。
【図面の簡単な説明】
【図１】本発明の一実施形態の包装箱を示す説明的斜視図。
【図２】図１の包装箱の展開図。
【図３】本実施形態の包装箱の閉蓋作業及び封止作業を示す説明図。
【図４】他の実施形態による包装箱を示す説明図。
【図５】他の実施形態による包装箱を示す説明図。
【符号の説明】
１…包装箱、２…胴部、５…第１側壁板、６…第２側壁板、９…第１天蓋フラップ、１０…第２天蓋フラップ、１１…第１係止基部、１２…第１係止舌部、１３…把持部、１４…第２係止基部、１５…第２係止舌部、１６…重合部、ｃ…第１天部折目線（第１折目線）、ｄ…第２天部折目線（第２折目線）、ｅ…第３天部折目線（第３折目線）、ｆ…第４天部折目線（第４折目線）。
【図１】
0004666752.tif 000002
【図２】
0004666752.tif 000003
【図３】
0004666752.tif 000004
【図４】
0004666752.tif 000005
【図５】
0004666752.tif 000006